(57)【要約】【課題】ＡＳＩＣ開発ツールの流通を促進させてＡＳＩＣベンダー、ツールベンダー及びこれらの顧客の利益を増進させる。【解決手段】ＡＳＩＣベンダーとツールベンダーの間でＡＳＩＣ開発ツールのライセンス契約をしておき、ＡＳＩＣベンダーは次に、ＡＳＩＣを開発しようとする顧客との間でツールのサブライセンス契約をしておく。顧客コンピュータ１１からＡＳＩＣベンダーコンピュータ１１へ顧客名と開発ツール名と開発ツール借用条件とライセンスキー貸与の要求とを含む情報を送信する。ＡＳＩＣベンダーコンピュータ１１は、該情報を受信し、ライセンスキー貸与の所定条件を満たしていると判定した場合にはツールベンダーコンピュータ１２に対し、顧客への開発ツールのライセンスキー貸与を要求する情報を送信する。ツールベンダーコンピュータ１２は、該情報の受信に応答して、顧客コンピュータ１１にライセンスキーを送信する。【選択図】図１
2007328800.tif 000002
【特許請求の範囲】
【請求項１】
ネットワーク上にＡＳＩＣベンダーのコンピュータと、ツールベンダーのコンピュータと、顧客のコンピュータとが接続され、
該ＡＳＩＣベンダーコンピュータには、該顧客毎の入金情報が記録される経理データベースが格納された記憶装置が接続され、
（ａ）該ＡＳＩＣベンダーと該ツールベンダーとの間でライセンス契約が締結された後において該ＡＳＩＣベンダーと該顧客との間で締結されたサブライセンス契約に基づき、該顧客により開発ツールのライセンスキー貸与の料金が該ＡＳＩＣベンダーに入金された場合に、該ＡＳＩＣベンダーコンピュータが、該顧客の名前及びその入金額を該入金情報として該経理データベースに記録するステップと、
（ｂ）該顧客コンピュータからの顧客名と開発ツール名とライセンスキー貸与の要求とを含む要求情報を受信した場合に、該ＡＳＩＣベンダーコンピュータが、該要求情報に基づいて該ライセンスキー貸与の料金を計算し、この結果が該経理データベースにより示される該入金額と一致するかを判定し、肯定判定した場合に該顧客への該ライセンスキー貸与を該ツールベンダーコンピュータへ要求するステップと、
（ｃ）該ツールベンダーコンピュータが、これに応答して該顧客に対してライセンスキーを発行するステップと、
を有することを特徴とするライセンス管理方法。
【請求項２】
（ｄ）上記顧客から上記ＡＳＩＣベンダーへの集積回路量産要求があった場合に、上記ＡＳＩＣベンダーコンピュータが、これに応答して、該集積回路量産要求の情報に基づいてＡＳＩＣの量産数に応じたプロダクト料を計算し、この結果が該顧客によるプロダクト料の入金額と一致するかを判定し、肯定判定した場合に集積回路量産開始の情報を上記顧客コンピュータ及び上記ツールベンダーコンピュータに送信するステップ、
を更に有することを特徴とする請求項１に記載のライセンス管理方法。
【請求項３】
上記ＡＳＩＣベンダーコンピュータには、ライセンス管理データベースが格納された記憶装置が接続され、
上記ステップ（ｂ）において、上記顧客コンピュータから受信した上記要求情報の全部又は一部を該ライセンス管理データベースに記録し、上記ツールベンダーコンピュータへ要求する情報には記録された該要求情報の全部又は一部を含む、
ことを特徴とする請求項１又は２に記載のライセンス管理方法。
【請求項４】
上記ステップ（ｄ）において、「上記顧客から上記ＡＳＩＣベンダーへの集積回路量産要求があった場合」とは、「上記顧客コンピュータから上記ＡＳＩＣベンダーコンピュータへ該集積回路量産要求の情報が送信され、この情報を該ＡＳＩＣベンダーコンピュータが受信した場合」であることを特徴とする請求項２又は３に記載のライセンス管理方法。
【請求項５】
ネットワークを介してツールベンダーのコンピュータと、顧客のコンピュータとが接続されるＡＳＩＣベンダーのコンピュータに備えられるライセンス管理プログラムであって、
該ＡＳＩＣベンダーコンピュータは更に、該ＡＳＩＣベンダーと該ツールベンダーとの間でライセンス契約が締結された後において該ＡＳＩＣベンダーと該顧客との間で締結されたサブライセンス契約に基づいて該顧客により支払われる、開発ツールのライセンスキー貸与の料金額を含む入金情報が記録される経理データベースを有し、
該ライセンス管理プログラムは、該ＡＳＩＣベンダーコンピュータに対し、
（ａ）該顧客コンピュータからの顧客名と開発ツール名とライセンスキー貸与の要求とを含む要求情報を受信した場合に、該要求情報に基づいて該ライセンスキー貸与の料金を計算させ、この結果が該経理データベースにより示される該入金額と一致するかを判定させ、
（ｂ）肯定判定した場合に該顧客への該ライセンスキー貸与を該ツールベンダーコンピュータへ要求させる、
ことを特徴とするライセンス管理プログラム。
【請求項６】
上記ライセンス管理プログラムは、上記ＡＳＩＣベンダーコンピュータに対し更に、
（ｃ）上記顧客から上記ＡＳＩＣベンダーへの集積回路量産要求があった場合に、該集積回路量産要求の情報に基づいてＡＳＩＣの量産数に応じたプロダクト料を計算させ、この結果が該顧客によるプロダクト料の入金額と一致するかを判定させ、
（ｄ）肯定判定した場合に集積回路量産開始の情報を上記顧客コンピュータ及び上記ツールベンダーコンピュータに送信させる、
ことを特徴とする請求項５に記載のライセンス管理プログラム。
【請求項７】
上記ＡＳＩＣベンダーコンピュータは、ライセンス管理データベースを更に有し、
上記ステップ（ａ）において、上記顧客コンピュータから受信した上記要求情報の全部又は一部を該ライセンス管理データベースに記録させ、
上記ステップ（ｂ）において、上記ツールベンダーコンピュータへ要求する情報には記録された該要求情報の全部又は一部を含む、
ことを特徴とする請求項５又は６に記載のライセンス管理プログラム。
【請求項８】
上記ステップ（ｃ）において、「上記顧客から上記ＡＳＩＣベンダーへの集積回路量産要求があった場合」とは、「上記顧客コンピュータから上記ＡＳＩＣベンダーコンピュータへ該集積回路量産要求の情報が送信され、この情報を該ＡＳＩＣベンダーコンピュータが受信した場合」であることを特徴とする請求項６又は７に記載のライセンス管理プログラム。
【請求項９】
請求項５乃至８のいずれか１つに記載のライセンス管理プログラムが記録されていることを特徴とするコンピュータ読み取り可能な記録媒体。
【請求項１０】
プロセッサと、
該プロセッサに結合された記憶装置と、
を有し、該記憶装置には請求項５乃至８のいずれか１つに記載のライセンス管理プログラムがインストールされていることを特徴とするライセンス管理装置。
【発明の詳細な説明】
【技術分野】
【０００１】
本発明は、ＡＳＩＣ（application-specific integrated circuit）開発ツールのライセンス管理方法、装置及びプログラムに係り、特に、ＡＳＩＣベンダーがライセンス管理を仲介する方法、装置及びプログラムに関する。
【背景技術】
【０００２】
ＡＳＩＣベンダーの顧客が集積回路を開発する場合、従来では、ＡＳＩＣベンダーが勧める開発ツールを顧客がツールベンダーから購入していた。
【特許文献１】特開２００２−７９１４号公報
【発明の開示】
【発明が解決しようとする課題】
【０００３】
しかしながら、一般に開発ツールが高価であるため、有効なツールであっても顧客がこれを敬遠し、ＡＳＩＣベンダー及びツールベンダーはビジネスチャンスを失っていた。
【０００４】
本発明の目的は、このような問題点に鑑み、ＡＳＩＣ開発ツールの流通を促進させてＡＳＩＣベンダー、ツールベンダー及びこれらの顧客の利益を増進させることが可能な、ＡＳＩＣ開発ツールのライセンス管理方法、装置及びプログラムを提供することにある。
【課題を解決するための手段】
【０００５】
本発明によるライセンス管理方法の一態様では、ネットワーク上にＡＳＩＣベンダーのコンピュータとツールベンダーのコンピュータと顧客のコンピュータとが接続されている。ＡＳＩＣベンダーとツールベンダーの間でＡＳＩＣ開発ツールのライセンス契約をしておき、ＡＳＩＣベンダーは次に、ＡＳＩＣを開発しようとする顧客との間でツールのサブライセンス契約をしておく。そして、
（ａ）該顧客コンピュータから該ＡＳＩＣベンダーコンピュータへ顧客名と開発ツール名と該開発ツールの借用条件とライセンスキー貸与の要求とを含む情報を送信し、
（ｂ）該ＡＳＩＣベンダーコンピュータは、該情報を受信して、ライセンスキー貸与の所定条件を満たしているかどうかをチェックし、満たしていると判定した場合には該ツールベンダーコンピュータに対し、該顧客への該開発ツールのライセンスキー貸与を要求する情報を送信し、
（ｃ）該ツールベンダーコンピュータは、該ＡＳＩＣベンダーコンピュータからの該情報の受信に応答して、該顧客に対しライセンスキーを発行する。
【発明の効果】
【０００６】
この構成によれば、ＡＳＩＣ開発ツールの流通を促進させてＡＳＩＣベンダー、ツールベンダー及びこれらの顧客の利益を増進させることが可能となる。
【０００７】
本発明の他の目的、構成及び効果は以下の説明から明らかになる。
【実施例１】
【０００８】
以下、図面を参照して本発明の一実施例を説明する。
【０００９】
最初に、ＡＳＩＣベンダーとツールベンダーの間でＡＳＩＣ開発ツールのライセンス契約をしておく。この契約には、ツール名、ライセンスキー貸与本数、サブライセンス設定を許可すること、及び、契約時にＡＳＩＣベンダーからツールベンダーへライセンス料を一括して支払うこと、プロダクト料を量産チップ毎あるいは量産品種毎に支払うことが含まれている。ここにプロダクト料とは、ツールを使用して集積回路の開発が成功し、ＡＳＩＣベンダーが集積回路の量産を開始した時に発生する料金である。
【００１０】
この契約によりツールベンダーは、ツール需要者に対し販売活動を行なう必要がなく、また、早期に一括して得られたライセンス料をツールの改良や新たなツールの開発に投資することが可能となる。
【００１１】
ＡＳＩＣベンダーは次に、ＡＳＩＣを開発しようとする顧客との間でツールのサブライセンス契約をする。この契約は、具体的な契約前の基本的なものであり、ツール名、ライセンスキー貸与料単価、プロダクト料単価、及び、ライセンスキー貸与料及びプロダクト料の支払の方法及び時期が含まれている。
【００１２】
ＡＳＩＣベンダーはサブライセンス契約者数が増えるほどライセンスキー貸与料のみならず量産依頼が増えるので、多くの顧客を獲得しようと努力し、顧客に対しライセンスキー貸与料を安価に設定することが可能となる。ＡＳＩＣベンダーがライセンスキー貸与単価を安価に設定することでライセンスキー契約本数が増加して量産品種数が増加し、この増加に伴いツールベンダーは多額のプロダクト料を得ることが可能となる。
【００１３】
ＡＳＩＣベンダーは正確な量産情報を把握しているので、プロダクト料をＡＳＩＣベンダーが管理することにより、ツールベンダーはプロダクト料を確実に取得することが可能となる。
【００１４】
このような確実なライセンス管理により、ツールベンダーは従来よりも利益を向上させることが可能となる。また、顧客はプロダクト料を支払う替わりにライセンスキー貸与料を安価に設定してもらうことが可能となり、これにより初期開発コストを低減することができるので、ツール利用者数が増加する。さらに、ＡＳＩＣベンダーは、ツール利用者数の増加によりＡＳＩＣの開発数が増加して利益が向上するのみならず、ライセンス設定を仲介することにより利益を得ることができる。
【００１５】
図１は、本発明の実施例１のライセンス管理方法を実施するためのネットワークシステムを示す概略図である。
【００１６】
ＡＳＩＣベンダーコンピュータ１０、顧客コンピュータ１１及びツールベンダーコンピュータ１２は、ネットワーク上に接続されている。ＡＳＩＣベンダーコンピュータ１０には記憶装置１３が接続され、これにはライセンス管理データベース１４及び経理データベース１６が格納されている。サブライセンス契約に関するデータは、これらデータベースに記録される。
【００１７】
図３は、図１のライセンス管理データベース１４に含まれているテーブル１４１の構成を示す。このテーブルは、顧客名、品種名、ツール名、ライセンス期間、ライセンスキー貸与本数及び顧客マシン情報のフィールド、並びに、ライセンスキーのコードを含んでいる。図４（Ａ）及び（Ｂ）はそれぞれ、図１の経理データベース１６に含まれているテーブル１６１及び１６２の構成を示す。テーブル１６１は、ツール名、ライセンスキー貸与料単価及びプロダクト料単価のフィールドを含んでいる。テーブル１６２は、顧客名、品種名、ライセンスキー貸与料入金額及びプロダクト料入金額のフィールドを含んでいる。
【００１８】
図１において、顧客コンピュータ１１からＡＳＩＣベンダーコンピュータ１０へ後述の情報が供給されてライセンスキー貸与の要求が行なわれ、ＡＳＩＣベンダーコンピュータ１０はこれに応答してライセンス管理データベース１４及び経理データベース１６を参照し、ライセンスキー貸与料を計算し、この料金が顧客からＡＳＩＣベンダーに支払われていれば、ＡＳＩＣベンダーコンピュータ１０からツールベンダーコンピュータ１２へライセンスキー貸与を要求する。ツールベンダーコンピュータ１２はこれに応答して、顧客コンピュータ１１にライセンスキーを送付する。これにより、ツールベンダーは自社のツールの流通状況を知ることができる。
【００１９】
図２は、量産開始時のネットワーク上の情報の流れを示す概略図である。
【００２０】
集積回路の開発が成功して顧客コンピュータ１１からＡＳＩＣベンダーコンピュータ１０へ量産要求が送信されると、ＡＳＩＣベンダーコンピュータ１０はデータベースに記録されている後述の情報を参照して量産可否を判定し、その結果を顧客コンピュータ１１へ送信し、量産可能と判定した場合には顧客が量産を開始することをツールベンダーコンピュータ１２に通知する。
【００２１】
図５及び図６は、ライセンスキー貸与の手続き及び情報処理を示すフローチャートである。
【００２２】
（Ｓ１）ＡＳＩＣベンダーとツールベンダーの間で上述のようにライセンス契約を締結する。
【００２３】
（Ｓ２）顧客とＡＳＩＣベンダーの間で上述のようにサブライセンス契約を締結する。この契約には、契約対象のツールのライセンスキー貸与料単価（ツール１本当たり且つ１日当たり）とプロダクト料単価（チップ１個当たり）が含まれており、これら単価とツール名とが経理データベース１６に記録される。これら単価は、ツールベンダーが顧客に直接設定する場合よりも安価に設定されている。
【００２４】
（Ｓ３）顧客はＡＳＩＣベンダーに対しライセンスキー貸与料を支払う。これに応じて、顧客の名前とライセンスキー貸与料入金額と開発品種名とがテーブル１６２に記録される。
【００２５】
顧客は次に、ＡＳＩＣベンダーに対しライセンスキー貸与を要求する。すなわち、図１において、顧客はコンピュータ１１を操作してＷＷＷウェブブラウザ上でＷＷＷサーバであるＡＳＩＣベンダーコンピュータ１０のＵＲＬを指定することにより、ＡＳＩＣベンダーコンピュータ１０にアクセスする。これにより、図８に示すような入力画面がＡＳＩＣベンダーコンピュータ１０から顧客コンピュータ１１へ送信される。
【００２６】
顧客がそのＩＤとパスワードを入力すると、これらのデータがＡＳＩＣベンダーコンピュータ１０に送信されて確認され、登録されているものと一致すれば、顧客名等の顧客に関する情報がＡＳＩＣベンダーコンピュータ１０から顧客コンピュータ１１へ送信されて表示される。品種名のドロップダウンリストから、開発しようとする集積回路の品種名を選択する。ライセンスキー貸与ツール名のリストの右側のチェックボックスをクリックしてツールを選択する。ライセンス期間の開始日と期限を入力する。貸与を要求するライセンスキーの本数を入力する。ツールの使用環境である顧客マシン情報を入力する。
【００２７】
画面上の計算ボタンを押すと、画面上の入力情報がＡＳＩＣベンダーコンピュータ１０に送信され、ＡＳＩＣベンダーコンピュータ１０はこれとテーブル１６１とに基づいてライセンスキー貸与料を計算する。この貸与料計算額を含む図８の画面のファイルが顧客コンピュータ１１に送信されて表示が更新される。顧客は、この金額を確認し、問題がなければライセンスキー貸与要求に相当する画面上の購入ボタンをクリックする。これにより、画面上の入力情報が確定情報としてＡＳＩＣベンダーコンピュータ１０に送信され、ＡＳＩＣベンダーコンピュータ１０はこの入力情報をテーブル１４１に記録する。
【００２８】
顧客は、購入ボタンをクリックする前に入力画面上の内容を変更する場合、その部分を再入力して画面上の計算ボタンを再度押す。これにより、ライセンスキー貸与料が再計算されて更新表示される。
【００２９】
（Ｓ４）ＡＳＩＣベンダーコンピュータ１０は、テーブル１６２上の入金額が上記計算額以上であれば次のステップＳ５へ進み、そうでなければ金額不足を示す情報を顧客コンピュータ１１に送信して不足分入金を促す。ステップＳ３に戻ってライセンスキー貸与要求を再度行う場合には、前回入力されたデータがテーブル１４１から読み出されて、その内容が記入された図８の入力画面のファイルが顧客コンピュータ１１に送信される。
【００３０】
（Ｓ５）ＡＳＩＣベンダーコンピュータ１０は顧客コンピュータ１１へ、ツールベンダーから顧客へライセンスキーが送付される予定であることを電子メールで通知する。このメールには、確認のために上記ステップＳ３で入力された情報が記述されている。
【００３１】
（Ｓ６）ＡＳＩＣベンダーコンピュータ１０は、ステップＳ３でテーブル１４１に記録された情報をツールベンダーコンピュータ１２に送信して、ライセンスキー貸与を要求する。
【００３２】
（Ｓ７）ツールベンダーコンピュータ１２はこれに応答して、ライセンスキーをＡＳＩＣベンダーコンピュータ１０に送信する。ＡＳＩＣベンダーコンピュータ１０はこれを受信し、テーブル１４１に記録する。
【００３３】
（Ｓ８）ＡＳＩＣベンダーコンピュータ１０は、確認のためにステップＳ３でライセンス管理データベース１４に入力された情報と共にこのライセンスキーを顧客コンピュータ１１に送信する。顧客コンピュータ１１はこれを受信する。
【００３４】
顧客コンピュータ１１は、ツールをツールベンダーコンピュータ１２からダウンロードし、これを起動して該ライセンスキーを入力することにより、ツールを使用可能な状態にする。
【００３５】
（Ｓ９）顧客は、このツールを用いて集積回路を開発する。
【００３６】
図７は、プロダクト料に関係した量産開始の手続き及び情報処理を示すフローチャートである。
【００３７】
（Ｓ１０）顧客は、集積回路の開発が完了すると、顧客コンピュータ１１を操作し顧客名、品種名及びツール名を指定してＡＳＩＣベンダーコンピュータ１０に量産要求を送信する。この際、チップ数に応じたプロダクト料を支払う契約である場合には量産数も指定する。
【００３８】
（Ｓ１１）ＡＳＩＣベンダーコンピュータ１０はこれに応答して、テーブル１４１に該顧客名、品種名及びツール名が記録されていることを確認し、このツール名をキーとしてテーブル１６１を検索し、このツールのプロダクト料が０でないかどうかを確認する。０であればプロダクト料不要である旨のデータを顧客コンピュータ１１に送信し、そうでなければプロダクト料を算出し、ステップＳ１２へ進む。
【００３９】
（Ｓ１２）算出したプロダクト料の請求書を顧客コンピュータ１１へ送信する。顧客はこれに応答してプロダクト料をＡＳＩＣベンダーに支払う。その入金額はテーブル１６２に記録される。
【００４０】
（Ｓ１３）テーブル１６２への記録に応答して、ＡＳＩＣベンダーコンピュータ１０はその入金額とステップＳ１１で算出されたプロダクト料とを比較し、入金額がプロダクト料以上であればステップＳ１４へ進み、そうでなければステップＳ１０に戻る。
【００４１】
（Ｓ１４）ＡＳＩＣベンダーコンピュータ１０は顧客コンピュータ１１へ量産可能であることを通知すると共に、ツールベンダーコンピュータ１２に対し顧客名、品種名及びツール名を指定して量産開始を通知する。その後、量産が行なわれると、量産数に比例したプロダクト料がＡＳＩＣベンダーからツールベンダーに支払われる。
【００４２】
なお、本発明には外にも種々の変形例が含まれる。
【００４３】
例えば、顧客がツールベンダーにプロダクト料を直接支払い、ツールベンダーがこれを受領したことをツールベンダーコンピュータ１２からＡＳＩＣベンダーコンピュータ１０へ通知し、ＡＳＩＣベンダーはこれに応答して量産を開始する形態であってもよい。ツールベンダーから顧客へのライセンスキーの送付は、郵便で行なってもよい。ツールベンダーから顧客へのツールの提供は、ツールが記録された記録媒体を顧客に郵送する形態であってもよい。図８の入力画面の替わりにその入力情報を電子メールで送信する形態であってもよい。ライセンスキー貸与料及びプロダクト料の支払いは、後払い制であってもよい。プロダクト料の一部をライセンスキー貸与料と同時に支払う形態であってもよい。また、サブライセンス契約中に図８の入力情報が含まれる形態であってもよい。
【００４４】
（ａ）該顧客コンピュータから該ＡＳＩＣベンダーコンピュータへ顧客名と開発ツール名と該開発ツールの借用条件とライセンスキー貸与の要求とを含む情報を送信し、
（ｂ）該ＡＳＩＣベンダーコンピュータは、該情報を受信して、ライセンスキー貸与の所定条件を満たしているかどうかをチェックし、満たしていると判定した場合には該ツールベンダーコンピュータに対し、該顧客への該開発ツールのライセンスキー貸与を要求する情報を送信し、
（ｃ）該ツールベンダーコンピュータは、該ＡＳＩＣベンダーコンピュータからの該情報の受信に応答して、該顧客に対しライセンスキーを発行する、
ことを特徴とするライセンス管理方法。（１）
（付記２）上記ステップ（ａ）の上記借用条件は、ライセンス貸与期間及び上記開発ツールの本数を含むことを特徴とする付記項１記載のライセンス管理方法。
【００４５】
該サブライセンス契約の締結前にツールベンダーと該ＡＳＩＣベンダーとの間で、サブライセンス設定を許諾するライセンス契約が締結されている、
ことを特徴とする付記項１記載のライセンス管理方法。（２）
（付記４）上記ＡＳＩＣベンダーコンピュータには経理データベースが格納された記憶装置が接続され、該経理データベースには顧客毎の入金額を含む入金情報が記録されており、
上記ステップ（ｂ）において、上記ＡＳＩＣベンダーコンピュータは、上記顧客コンピュータからの情報に基づいてライセンスキー貸与料を計算し、上記所定条件は、上記顧客の入金額が該ライセンスキー貸与料以上であることを含む、
ことを特徴とする付記項３記載のライセンス管理方法。（３）
（付記５）上記ＡＳＩＣベンダーコンピュータにはライセンス管理データベースが格納された記憶装置が接続され、
上記ステップ（ｂ）において、受信した上記情報の全部又は一部を該ライセンス管理データベースに記録し、上記ライセンスキー貸与を要求する情報には記録された該情報の全部又は一部を含む、
ことを特徴とする付記項３記載のライセンス管理方法。（４）
（付記６）（ｄ）上記顧客から上記ＡＳＩＣベンダーへの集積回路量産要求に応答して該ＡＳＩＣベンダーはそのコンピュータに対し上記ツールベンダーコンピュータへ集積回路量産開始の情報を送信させる、
ステップを有することを特徴とする付記項３記載のライセンス管理方法。（５）
（付記７）上記ステップ（ｄ）では、上記顧客コンピュータから上記ＡＳＩＣベンダーコンピュータへ集積回路量産要求の情報を送信することを特徴とする付記項６記載のライセンス管理方法。
【００４６】
上記ステップ（ｄ）において、上記ＡＳＩＣベンダーコンピュータは、上記集積回路量産要求の情報と該プロダクト料の単価とに基づいてプロダクト料を計算し、上記ツールベンダーコンピュータへの集積回路量産開始の情報を送信する前に、該顧客の入金額が該プロダクト料以上であるかどうかを判定し、肯定判定した場合に限り上記集積回路量産開始の情報の送信を実行し、否定判定した場合には上記顧客コンピュータへ集積回路量産量が不可であることを示す情報を送信する、
ことを特徴とする付記項７記載のライセンス管理方法。
（ａ）顧客コンピュータからの顧客名、開発ツール名、開発ツールの借用条件、及び、ライセンスキー貸与の要求の情報の受信に応答して、ライセンスキー貸与の所定条件を満たしているかどうかをチェックさせ、
（ｂ）満たしていると判定した場合には、ツールベンダーコンピュータに対し、該顧客への該開発ツールのライセンスキー貸与を要求する情報を送信させる、
ことを特徴とするライセンス管理プログラム。（５）
（付記１０）上記ステップ（ａ）において、上記ＡＳＩＣベンダーコンピュータに対し、上記顧客コンピュータから受信した情報と、顧客毎の入金額を含む入金情報が記録されている経理データベースとに基づいて、ライセンスキー貸与料を計算させ、上記所定条件は、上記顧客の入金額が該ライセンスキー貸与料以上であることを含む、
ことを特徴とする付記項９記載のライセンス管理プログラム。（６）
（付記１１）上記ステップ（ａ）において、上記ＡＳＩＣベンダーコンピュータに対し、上記顧客コンピュータから受信した情報の全部又は一部をライセンス管理データベースに記録させ、
上記ステップ（ｂ）において、上記ライセンスキー貸与を要求する情報には記録された該情報の全部又は一部を含む、
ことを特徴とする付記項１０記載のライセンス管理プログラム。（７）
（付記１２）上記ＡＳＩＣベンダーコンピュータに対し、
（ｃ）上記顧客コンピュータからの集積回路量産要求の情報に応答して上記ツールベンダーコンピュータへ集積回路量産開始の情報を送信させる、
ステップをさらに有することを特徴とする付記項１１記載のライセンス管理プログラム。（８）
（付記１３）上記経理データベースにはさらにプロダクト料単価が記録されており、上記ステップ（ｃ）において、上記ＡＳＩＣベンダーコンピュータに対し、
上記集積回路量産要求の情報と該プロダクト料単価とに基づいてプロダクト料を計算させ、
上記ツールベンダーコンピュータへの集積回路量産開始の情報を送信させる前に、該顧客の入金額が該プロダクト料以上であるかどうかを判定させ、
肯定判定した場合に限り上記集積回路量産開始の情報の送信を実行させ、否定判定した場合には上記顧客コンピュータへ集積回路量産量が不可であることを示す情報を送信させる、
ことを特徴とする付記項１２記載のライセンス管理プログラム。
【００４７】
（付記１５）プロセッサと、
該プロセッサに結合された記憶装置と、
を有し、該記憶装置には付記項９乃至１４のいずれか１つに記載のライセンス管理プログラムがインストールされていることを特徴とするライセンス管理装置。（１０）
【図面の簡単な説明】
【００４８】
【図１】本発明の一実施形態のライセンス管理方法を実施するためのネットワークシステムを示す概略図である。
【図２】量産開始時のネットワーク上の情報の流れを示す概略図である。
【図３】図１のライセンス管理データベース１４に含まれているテーブルの構成例を示す図である。
【図４】（Ａ）及び（Ｂ）はいずれも図１の経理データベース１６に含まれているテーブルの構成例を示す図である。
【図５】ライセンスキー貸与の手続き及び情報処理を示すフローチャートである。
【図６】図５の続きを示すフローチャートである。
【図７】プロダクト料に関係した量産開始の手続き及び情報処理を示すフローチャートである。
【図８】図５のステップＳ３において用いられる、ライセンスキー貸与要求のためのＡＳＩＣベンダーコンピュータ入力画面の例を示す図である。
【符号の説明】
【００４９】
１０  ＡＳＩＣベンダーコンピュータ
１１  顧客コンピュータ
１２  ツールベンダーコンピュータ
１３  記憶装置
１４  ライセンス管理データベース
１６  経理データベース
１４１、１５１、１６１、１６２  テーブル
【図１】
2007328800.tif 000003
【図２】
2007328800.tif 000004
【図３】
2007328800.tif 000005
【図４】
2007328800.tif 000006
【図５】
2007328800.tif 000007
【図６】
2007328800.tif 000008
【図７】
2007328800.tif 000009
【図８】
2007328800.tif 000010